(57)【特許請求の範囲】
【請求項１】
表示装置の背面側に取り付けられ、前面に表示装置用の第１吸気口と第１吐出口を設け、背面に外部空気用の第２吸気口および第２吐出口を設けた本体ケースと、この本体ケース内に設けられた表示装置用の複数の第１送風機と、同じく前記本体ケース内に設けられた外部空気用の複数の第２送風機と、前記本体ケース内において表示装置の空気と外部空気との熱交換を行う熱交換器とを備え、前記本体ケース内には、前記第１吸気口と前記第１吐出口とを連通する第１送風路と、この第１送風路とは区画されて前記第２吸気口と前記第２吐出口とを連通する第２送風路とを設け、前記第１送風機と前記第２送風機は、前記熱交換器に対して同じ側に一列に並べ、前記第１送風機、前記第２送風機を１つずつ区画し、交互に並べた冷却装置。
【請求項２】
前記第１送風機、前記第２送風機は、軸流型の送風機を用い、前記第１送風機は、前記本体ケースの前面側よりに設け、前記第２送風機は、前記本体ケースの背面側よりに設けた請求項１記載の冷却装置。
【請求項３】
前記第２送風機を収めた区画に、それぞれの前記第２送風機に対して同じ位置となる角に少なくとも１つの水抜き穴を設け、前記本体ケースは、前記水抜き穴が前記第２送風機を設けた区画の下側になるように設置した請求項１または２記載の冷却装置。
【請求項４】
前記本体ケースは、前記熱交換器を収めた熱交換部と、前記第１送風機、前記第２送風機を収めた送風部とで構成される請求項１〜３いずれかひとつに記載の冷却装置。
【請求項５】
前記送風部の背面側パネルを取り外し可能にした請求項４記載の冷却装置。
【請求項６】
前記送風部の背面側パネルに前記水抜き穴を設けた請求項５記載の冷却装置。
【発明の詳細な説明】
【技術分野】
【０００１】
本発明は、電光掲示板などの表示装置に取り付けて冷却を行う冷却装置に関するものである。
【背景技術】
【０００２】
例えば、電子機器は、その表面に情報を表示する表示装置を備え、この表示装置の裏側にはこの表示装置を駆動する制御装置を備え、その外側を仕切り板で覆っていた。そして、この電子機器は、天井から吊り下げていた（例えば特許文献１）。
【先行技術文献】
【特許文献】
【０００３】
【特許文献１】特開平７―３２２１７２号公報
【発明の概要】
【発明が解決しようとする課題】
【０００４】
このような電子機器を特に屋外に設置する場合、表示装置と制御装置から発生する熱を放熱するために、電子機器の裏側のカバーに放熱器を配置するとともに、内部にファンを配置し、空気を攪拌して、電子機器内部に充満した熱を放熱器から外部へ放出するものであった。そしてこの放熱器は、アルミニウム等金属性のブロックで形成したものを前記カバーと一体にして設けていた。さらに、カバー内側では、金属製の熱伝導体を制御装置内の発熱部品と放熱器の間に接触させて設け、発生する熱を前記放熱器へ伝導させていた。そのため、電子機器は、重量が重くなり、高所に吊り下げるのに強固な吊り下げ部材が必要であった。
【０００５】
そこで本発明は、このような電子機器を効率的に冷却できる軽量な冷却装置を提供することを目的とするものである。
【課題を解決するための手段】
【０００６】
そして、この目的を達成する為に本発明は、
表示装置の背面側に取り付けられ、前面に表示装置用の第１吸気口と第１吐出口を設け、背面に外部空気用の第２吸気口および第２吐出口を設けた本体ケースと、この本体ケース内に設けられた表示装置用の複数の第１送風機と、同じく前記本体ケース内に設けられた外部空気用の複数の第２送風機と、前記本体ケース内において表示装置の空気と外部空気との熱交換を行う熱交換器とを備え、前記本体ケース内には、前記第１吸気口と前記第１吐出口とを連通する第１送風路と、この第１送風路とは区画されて前記第２吸気口と前記第２吐出口とを連通する第２送風路とを設け、前記第１送風機と前記第２送風機は、前記熱交換器に対して同じ側に一列に並べ、前記第１送風機、前記第２送風機を１つずつ区画し、交互に並べた冷却装置であり、これにより、所期の目的を達成するものである。
【発明の効果】
【０００７】
以上のように本発明は、表示装置の背面側に取り付けられ、前面に表示装置用の第１吸気口と第１吐出口を設け、背面に外部空気用の第２吸気口および第２吐出口を設けた本体ケースと、この本体ケース内に設けられた表示装置用の複数の第１送風機と、同じく前記本体ケース内に設けられた外部空気用の複数の第２送風機と、前記本体ケース内において表示装置の空気と外部空気との熱交換を行う熱交換器とを備え、前記本体ケース内には、前記第１吸気口と前記第１吐出口とを連通する第１送風路と、この第１送風路とは区画されて前記第２吸気口と前記第２吐出口とを連通する第２送風路とを設け、前記第１送風機と前記第２送風機は、前記熱交換器に対して同じ側に一列に並べ、前記第１送風機、前記第２送風機を１つずつ区画し、交互に並べたので、この冷却装置は、薄型で軽量となり、かつ、効率的な冷却を行うことができる。
【図面の簡単な説明】
【０００８】
【図１】本発明の一実施形態の表示装置設置例を示す図
【図２】本発明の一実施形態の表示装置の背面斜視図
【図３】本発明の一実施形態の表示装置の裏カバーを外したときの背面図
【図４】本発明の一実施形態の冷却装置の側断面図  （ａ）外気の通風経路を示す図、（ｂ）表示装置側の通風経路を示す図
【図５】本発明の一実施形態の冷却装置の構成を示す図
【図６】本発明の一実施形態の冷却装置の送風機の配置を示す図
【図７】本発明の一実施形態の冷却装置の送風機ユニットを示す図
【図８】本発明の一実施形態の表示装置を横置きにしたときの（ａ）背面図、（ｂ）ドレン穴詳細図
【図９】本発明の一実施形態の表示装置を縦置きにしたときの（ａ）背面図、（ｂ）ドレン穴詳細図
【発明を実施するための形態】
【０００９】
以下、本発明の実施の形態について図面を参照しながら説明する。
【００１０】
（実施の形態１）
図１に示すように、電子機器を代表とする表示装置１は、例えば、店舗の屋外側に吊り下げられている。そして、その表面には、例えば、その店舗の広告情報を、リアルタイムで、お客様にお知らせするものである。
【００１１】
この表示装置１は、図２に示すように、その裏面に、多数の孔を設けた裏カバー３を設けている。図３は、裏カバー３を外したときの表示装置１の背面図である。図３に示すように、表示装置１の背面には、熱交換器ユニット４と送風機ユニット５が互いに接するように設けられている。
【００１２】
さて、表示装置１は、図４，図５に示すように表面にプラズマディスプレイパネルを一例とする電子表示機器を用いた表示パネル２を設け、この表示装置１の内部には、前記表示パネル２へ情報を映像として表示させる制御を行なう制御装置８が収められている。この制御装置８を覆うカバー９を設ける。また、カバー９の背面は、制御装置８後方側を開口し、この開口に矩形の形状を有する仕切り板１０を設けている。この仕切り板１０を貫通するように、通風孔（第１吸気口１３、第１吐出口１４）が２ヶ所に設けられている。仕切り板１０のさらに背面側に熱交換器１２を内部に納めた熱交換器ユニット４と送風機１１を内部に納めた送風機ユニット５が設けられている。この熱交換器ユニット４と送風機ユニット５によって冷却装置５０の本体ケースを構成している。
【００１３】
なお、図５で示すように、熱交換器ユニット４は、熱交換器１２を内部に設けた外枠１７と仕切り板１０とで構成される。
【００１４】
熱交換器１２は、向かい合った２つの辺を長くしたほぼ六角形状で合成樹脂製の複数の板体をそれぞれ所定間隔離した状態で重合させた構成としている。この板体の表面には、その表面をレーン状に仕切る複数の整流壁（図示せず）をそれぞれ設けている。この整流壁は、流入口となる板体の短い辺のひとつから対辺に向けて伸延させている。このような板体（整流壁）によって、板体上に略Ｓ字状の複数の送風レーンができることになる。
【００１５】
このような熱交換器１２は、図４に示すように、底面側になる短辺の一方を外気側流入口１２ａとし、その対辺が外気側流出口１２ｂとなる。一方、天面側になる短辺の一方を装置側流入口１２ｃとし、その対辺が装置側流出口１２ｄとなる。
【００１６】
図４（ａ）に示すように、送風機ユニット５には、表示装置１と反対側に第２吸気口６が設けられ、熱交換器ユニット４には、表示装置１と反対側に第２吐出口７が設けられている。第２送風路２２は、白抜きの矢印で示すように、第２吸気口６から流入し、外気側流入口１２ａから熱交換器１２内に入り、外気側流出口１２ｂ、第２吐出口７へといたる経路となる。
【００１７】
また、図４（ｂ）に示すように、送風機ユニット５には、表示装置１側に第１吐出口１４が設けられ、熱交換器ユニット４には、表示装置１側に第１吸気口１３が設けられている。第１送風路２１は、斜線で塗りつぶした矢印で示すように、第１吸気口１３から流入し、装置側流入口１２ｃから熱交換器１２内に入り、装置側流出口１２ｄ、第１吐出口１４へといたる経路となる。
【００１８】
このような熱交換器１２によれば、第２送風路２２を通過する冷たい外気と第１送風路２１を通過する装置側の暖かい空気との間で熱交換して、装置側の空気を冷却することになる。
【００１９】
次に図５、図６、図７を用いてさらに詳しく説明する。送風機ユニット５は、複数の第２送風機１１ａと複数の第１送風器１１ｂを交互に配置したものである。ひとつひとつの第２送風機１１ａ、第１送風機１１ｂは、区画された状態になっている。この第２送風機１１ａは、外気を第２吸気口６から吸い込んで、熱交換器１２の外気側流入口１２ａへと送風する。第１送風機１１ｂは、熱交換器１２で冷却された装置側の空気を吸い込んで第１吐出口１４から装置側に供給することになる。
【００２０】
送風機ユニット５には、軸流タイプの第２送風機１１ａ、第１送風機１１ｂを用いている。第２送風機１１ａは、第２吸気口６側によせて配置されている。一方、第１送風機１１ｂは、第１吐出口１４によせ寄せて配置されている。熱交換器ユニット４側の開口は、互い違いになるように設けられ、表示装置１側が第２送風路２２用、表示装置１と反対側が第１送風路２１用の開口である。
【００２１】
このような冷却装置５０によれば、複数の送風機（第２送風機１１ａ、第１送風機１１ｂ）を設けたので、装置全体を薄型にすることが可能となる。また、熱交換器１２に対して同じ側に第２送風機１１ａと第１送風機１１ｂとを図５、図７に示すようにほぼ横一列または図６に示すように横一列となるように設けたので、装置全体を小型化することができる。
【００２２】
また、図７で示すように、送風機ユニット５の背面側のパネル（ユニットカバー１９）は取り外すことができるようになっている。そのため、第２送風機１１ａ、第１送風機１１ｂのメンテナンスを容易にできるような構成にしている。
【００２３】
また、第２送風機１１ａを納めた区画には、それぞれ水抜き穴となるドレン穴２０がユニットカバー１９に設けられている。このドレン穴２０は、熱交換器１２とは離れた面の角に設けられる。この構成により、表示装置１を横置きにした場合（図８）にも、表示装置１を縦置きにした場合（図９）にもドレン穴２０が第２送風機１１ａを納めた区画の下側に位置することになる。
【産業上の利用可能性】
【００２４】
以上のように本発明は、表示装置の背面側に取り付けられ、前面に表示装置用の第１吸気口と第１吐出口を設け、背面に外部空気用の第２吸気口および第２吐出口を設けた本体ケースと、この本体ケース内に設けられた表示装置用の複数の第１送風機と、同じく前記本体ケース内に設けられた外部空気用の複数の第２送風機と、前記本体ケース内において表示装置の空気と外部空気との熱交換を行う熱交換器とを備え、前記本体ケース内には、前記第１吸気口と前記第１吐出口とを連通する第１送風路と、この第１送風路とは区画されて前記第２吸気口と前記第２吐出口とを連通する第２送風路とを設け、前記第１送風機と前記第２送風機は、前記熱交換器に対して同じ側にほぼ一列に並べたので、この冷却装置は、薄型で軽量となり、かつ、効率的な冷却を行うことができる。従って、例えば、プラズマディスプレイを用いた表示装置などの冷却設備としてきわめて有用なものとなる。
【符号の説明】
【００２５】
１      表示装置
２      表示パネル
３      裏カバー
４      熱交換器ユニット
５      送風機ユニット
６      第２吸気口
７      第２吐出口
８      制御装置
９      カバー
１０    仕切り板
１１    送風機
１１ａ  第２送風機
１１ｂ  第１送風機
１２    熱交換器
１２ａ  外気側流入口
１２ｂ  外気側流出口
１２ｃ  装置側流入口
１２ｄ  装置側流出口
１３    第１吸気口
１４    第１吐出口
１９    ユニットカバー
２０    ドレン穴
２１    第１送風路
２２    第２送風路
５０    冷却装置
【図１】
0005413069.tif 000002
【図２】
0005413069.tif 000003
【図３】
0005413069.tif 000004
【図４】
0005413069.tif 000005
【図５】
0005413069.tif 000006
【図６】
0005413069.tif 000007
【図７】
0005413069.tif 000008
【図８】
0005413069.tif 000009
【図９】
0005413069.tif 000010